(57)【要約】【課題】  完成建物の屋上の防水工事を行う際に、営繕用の仮設物を安価に設置する。【解決手段】  完成建物は、完成建物の屋上において、完成建物に部分的に埋め込まれ、一部分が完成建物から突出した固定部材であって、営繕用の仮設物を固定するための固定部材を備える。【選択図】図１
2015190217.tif 000002
【特許請求の範囲】
【請求項１】
完成建物であって、
前記完成建物の屋上において、該完成建物に部分的に埋め込まれ、一部分が前記完成建物から突出した固定部材であって、営繕用の仮設物を固定するための固定部材を備える
完成建物。
【請求項２】
請求項１に記載の完成建物であって、
前記屋上のコンクリート床を備え、
前記固定部材は、
前記コンクリート床に全体が埋め込まれる基部と、
前記基部から延在し、先端側が前記コンクリート床から突出した少なくとも１つの棒状部材と
を備える完成建物。
【請求項３】
請求項１に記載の完成建物であって、
前記屋上の鉄筋コンクリート床を備え、
前記固定部材は、一端側が前記鉄筋に結束され、他端側が前記鉄筋コンクリート床から突出している
完成建物。
【請求項４】
請求項１に記載の完成建物であって、
前記屋上を形成する下地鉄骨材を備え、
前記固定部材は、一端側が前記下地鉄骨材に溶接され、他端側が前記完成建物から突出している
完成建物。
【請求項５】
請求項１に記載の完成建物であって、
前記屋上を形成する下地木材を備え、
前記固定部材は、一端側が前記下地木材を貫通した状態で、該下地木材に固定されており、他端側が前記完成建物から突出している
完成建物。
【請求項６】
請求項３ないし請求項５のいずれか一項に記載の完成建物であって、
前記固定部材は、少なくとも１つの棒状部材である
完成建物。
【請求項７】
請求項１ないし請求項６のいずれか一項に記載の完成建物であって、
前記仮設物は、スタンションである
完成建物。
【発明の詳細な説明】
【技術分野】
【０００１】
本発明は、営繕用の仮設物を建物に固定するための技術に関する。
【背景技術】
【０００２】
屋上の工事を行う場合、作業員の転落を防止するために、仮設物の設置、例えば、転落防止柵の設置や命綱を接続するための丸環の設置が必要となる。対象工事が建物の新築である場合、新築工事用の足場を利用して仮設物を設置することが可能である。一方、工事対象が完成建物の補修である場合、当該補修のために地上から足場を組み、足場に転落防止柵等を設置する手法や、屋上の床に鉄板を敷いて、鉄板にクランプ部材を介して転落防止柵等を設置する手法が採用されている。
【先行技術文献】
【特許文献】
【０００３】
【特許文献１】特開２０１０−２４８７９６号公報
【発明の概要】
【発明が解決しようとする課題】
【０００４】
しかしながら、足場を組む手法は、多額の費用が必要となる。また、床に鉄板を敷く手法は、防水補修工事には適用できない。補修すべき床が鉄板で覆われてしまうからである。このようなことから、完成建物の屋上の防水工事を行う際に、営繕用の仮設物を安価に設置できる技術が求められる。また、そのための手法は、建物の美観に極力影響を与えないことが望ましい。
【課題を解決するための手段】
【０００５】
本発明は、上述の課題の少なくとも一部を解決するためになされたものであり、例えば、以下の形態として実現することが可能である。
【０００６】
本発明の第１の形態によれば、完成建物が提供される。この完成建物は、完成建物の屋上において、完成建物に部分的に埋め込まれ、一部分が完成建物から突出した固定部材であって、営繕用の仮設物を固定するための固定部材を備える。かかる完成建物によれば、完成建物には、固定部材が予め埋め込まれているので、固定部材の突出部分に仮設物を固定するだけで仮設物を設置できる。したがって、仮設物を安価に設置できる。しかも、屋上の防水工事の対象、例えば、屋上の床面が仮設物で覆われることがないので、防水工事を好適に行うことができる。さらに、本来、仮設的に使用される仮設物自体が完成建物に常設されるわけではないので、美観への影響も小さい。
【０００７】
本発明の第２の形態によれば、第１の形態において、完成建物は、屋上のコンクリート床を備える。固定部材は、コンクリート床に全体が埋め込まれる基部と、基部から延在し、先端側がコンクリート床から突出した少なくとも１つの棒状部材と、を備える。かかる形態によれば、完成建物の建設時において、固定部材の所定部位がコンクリート床に埋め込まれるようにコンクリートを打設するだけで、固定部材を容易に設置できる。さらに、棒状部材が挿入される穴を有する仮設物を簡単な作業で設置することができる。しかも、固定部材の設置後の状態は、棒状部材の先端側が床から突出するだけであるから、美観への影響も極めて小さい。
【０００８】
本発明の第３の形態によれば、第１の形態において、完成建物は、屋上の鉄筋コンクリート床を備える。固定部材は、一端側が鉄筋に結束され、他端側が鉄筋コンクリート床から突出している。かかる形態によれば、固定部材が強固に支持される。
【０００９】
本発明の第４の形態によれば、第１の形態において、完成建物は、屋上を形成する下地鉄骨材を備える。固定部材は、一端側が下地鉄骨材に溶接され、他端側が完成建物から突出している。かかる形態によれば、固定部材が強固に支持される。
【００１０】
本発明の第５の形態によれば、第１の形態において、完成建物は、屋上を形成する下地木材を備える。固定部材は、一端側が下地木材を貫通した状態で、下地木材に固定されており、他端側が完成建物から突出している。かかる形態によれば、固定部材が強固に支持される。
【００１１】
本発明の第６の形態によれば、第３ないし第５のいずれかの形態において、固定部材は、少なくとも１つの棒状部材である。かかる形態によれば、固定部材の形状が極めて単純であるので、固定部材を容易に製造できる。また、棒状部材が挿入される穴を有する仮設物を簡単な作業で設置することができる。さらに、固定部材の設置後の状態は、棒状部材の先端側が床から突出するだけであるから、美観への影響も極めて小さい。
【００１２】
本発明の第７の形態によれば、第１ないし第６のいずれかの形態において、仮設物は、スタンションである。かかる形態によれば、スタンションを利用して転落防止柵や丸環を容易に設置できる。
【００１３】
本発明は、上述の形態のほか、完成建物の屋上に営繕用の仮設物を設置する方法など、種々の形態で実現可能である。
【図面の簡単な説明】
【００１４】
【図１】本発明の一実施例としての固定部材を備える完成建物の一部分を示す斜視図である。
【図２】図１の固定部材の断面図である。
【図３】固定部材に固定するスタンションの一例を示す斜視図である。
【図４】スタンションが固定部材に固定された状態を示す部分断面図である。
【図５】第２実施例としての固定部材を備える完成建物の部分断面図である。
【図６】固定部材の種々の取付態様を示す断面図である。
【図７】固定部材の種々の取付態様を示す断面図である。
【図８】固定部材の種々の取付態様を示す断面図である。
【発明を実施するための形態】
【００１５】
Ａ．第１実施例：
図１は、本発明の第１実施例としての固定部材３０を備える完成建物２０の一部分を示す斜視図である。図２は、固定部材３０の断面図である。完成建物２０の一部分としての屋上のコンクリート床２１には、固定部材３０が固定されている。固定部材３０は、完成建物２０の経年劣化等によって必要になる屋上の防水工事（補修工事）を行うために設けられる。固定部材３０は、基部３１と、２つの棒状部材３５，３６と、を備えている。基部３１は、平板状の平板部３２と、平板部３２から下方に向けて延在し、途中で屈曲する２つのアンカー部３３，３４と、を備えている。棒状部材３５，３６は、平板部３２のアンカー部３３，３４と反対側の面から上方に向けて突出している。棒状部材３５，３６の先端部（基部３１と反対側の端部）には、それぞれ、長手方向（鉛直方向）にボルト穴３７，３８が形成されている。
【００１６】
固定部材３０は、基部３１の全体および棒状部材３５，３６の基部３１側がコンクリート床２１の内部に埋め込まれており、棒状部材３５，３６の先端側のみが僅かにコンクリート床２１から露出している。かかる固定部材３０は、完成建物２０の建設工事の際に設置される。すなわち、固定部材３０が型枠などで所定位置に位置決めされた状態でコンクリートが打設され、固定部材３０が固定されたコンクリート床２１が形成される。
【００１７】
図３は、固定部材３０に固定するための営繕用仮設物の一例としてのスタンション５０を示す斜視図である。スタンション５０は、平板状の支持部５１と、支持部５１から上方に向けて延在する柱部５２とを備えている。柱部５２の側面５３には、２つのクランプ５８，５９が着脱可能に取り付けられている。クランプ５８，５９には、転落防止柵を構成するパイプ６１，６２が取り付けられる。また、柱部５２の頂面５４には、命綱を接続するための丸環５５が取り付けられている。支持部５１には、柱部５２の両脇に穴５６，５７が設けられている。穴５６，５７は、固定部材３０の棒状部材３５，３６をそれぞれ挿入可能な形状、大きさを有している。
【００１８】
図４は、スタンション５０が固定部材３０に固定された状態を示す部分断面図である。図４では、クランプ５８，５９の図示を省略している。スタンション５０は、固定部材３０の棒状部材３５，３６が、スタンション５０の穴５６，５７に挿入されるように、コンクリート床２１上に配置された状態で、固定部材３０のボルト穴３７，３８にそれぞれボルト６３，６４が挿入されて締められることによって、固定部材３０に固定される。
【００１９】
上述した構成は、種々の変形が可能である。例えば、固定部材３０は、棒状部材３５，３６に代えて、１つの棒状部材、または、３つ以上の棒状部材を備えていてもよい。あるいは、棒状部材３５，３６の先端には、雄ねじが形成されていてもよい。この場合、スタンション５０を固定部材３０に固定する際には、支持部５１の穴５６，５７を貫通して突出した雄ねじにナットが締め付けられてもよい。あるいは、スタンション５０に丸環５５は設けられていなくてもよい。あるいは、クランプ５８，５９は、スタンション５０と一体的に形成されていてもよい。あるいは、固定部材３０には、防護柵が直接的に固定されてもよい。
【００２０】
上述した完成建物２０によれば、完成建物２０には、固定部材３０が予め埋め込まれているので、完成建物２０の防水補修工事を行う際に、スタンション５０を固定部材３０の突出部分に固定するだけで、スタンション５０を設置することができる。したがって、固定部材３０、ひいては、防護柵や丸環を安価に設置できる。しかも、コンクリート床２１が仮設物、例えば、鉄板で覆われることがないので、コンクリート床２１の防水工事（例えば、シート防水、塗膜防水など）を好適に行うことができる。さらに、固定部材３０は、棒状部材３５，３６の先端が僅かに露出しているだけであり、その大半がコンクリート床２１内に埋め込まれているので、完成建物２０の美観に対する影響も極めて小さい。工事が行われていないときには、棒状部材３５，３６の露出部分には、美観の観点または安全上の観点から、キャップが被せられてもよい。また、固定部材３０は、コンクリート床２１から突出する構成であり、つまり、凹部を有していないので、雨水やゴミが溜まることもない。
【００２１】
Ｂ．第２実施例：
図５は、第２実施例としての固定部材１３０を備える完成建物１２０の部分断面図であり、固定部材１３０の完成建物１２０への様々な取付態様を示す。本実施例では、固定部材１３０は、単なる棒状の部材である。図５（ａ）に示す例では、完成建物１２０の屋上床下地として鋼製のルーフデッキ１２１が使用されている。固定部材１３０は、その一端が溶接によってルーフデッキ１２１に接合され、そこから上方に延在し、他端側が完成建物１２０から僅かに突出している。図５（ｂ）に示す例では、屋上床下地として鉄骨１２３が使用され、その上に野地合板１２４が配置されている。固定部材１３０は、鉄骨１２３に溶接によって接合され、そこから上方に延在して野地合板１２４を貫通しており、先端側が野地合板１２４から突出している。図５（ｃ）に示す例では、完成建物１２０の屋上床下地として鋼製のルーフデッキ１２１が使用され、ルーフデッキ１２１上にデッキコンクリート床１２５が形成されている。この例では、固定部材１３０は、ルーフデッキ１２１に溶接によって接合され、そこから上方に延在してデッキコンクリート床１２５を貫通しており、先端側がデッキコンクリート床１２５から突出している。
【００２２】
図６〜９は、固定部材１３０のさらなる取付態様を示す。図６，７では、固定部材１３０をパラペット１２６に取り付ける態様を示している。具体的には、図６（ａ）に示す例では、固定部材１３０は、パラペット１２６の下地の鉄骨１２３に溶接され、そこから上方に延在して、先端側がパラペット１２６から突出している。図６（ｂ）に示す例では、固定部材１３０は、パラペット１２６の木下地１２７を鉛直方向に貫通し、一端側がパラペット１２６から上方に向けて突出している。木下地１２７の上面および下面には、貫通ボルト１２８が設けられており、固定部材１３０は、この貫通ボルト１２８を貫通しており、この貫通ボルト１２８を介して木下地１２７に固定されている。
【００２３】
図７（ａ）に示す例では、固定部材１３０は、パラペット１２６の下地の鉄骨１２３に溶接され、そこから水平方向に沿って、完成建物１２０の内側に向けて延在しており、先端側がパラペット１２６から突出している。この例では、２つの固定部材１３０が、１つの鉄骨１２３につき１つずつ溶接されている。図７（ｂ）に示す例では、固定部材１３０は、木下地１２７を水平方向に貫通して、一端側が完成建物１２０の内側に向けてパラペット１２６から突出している。固定部材１３０は、貫通ボルト１２８を介して木下地１２７およびパラペットの外壁に固定されている。
【００２４】
図８（ａ），８（ｂ）に示す例では、屋上のコンクリート床２１は、鉄筋コンクリート床であり、固定部材１３０は、結束線１４２によって、鉄筋１４１に結束されている。固定部材１３０は、結束箇所から上方に延在し、先端側がコンクリート床２１から突出している。
【００２５】
このように種々の態様で完成建物１２０に取り付けられた固定部材１３０には、第１実施例と同様にして、種々の形態のスタンションを取り付けることができる。この場合、固定部材１３０がスタンションに形成された穴を貫通した状態で、固定部材１３０の突出部分にナットを締結するなどして、固定部材１３０とスタンションとを固定してもよい。固定部材１３０の露出部分は、雄ねじが形成されていてもよい。また、図７から明らかなように、スタンションは、水平方向に延在するように取り付けられてもよい。この場合、図７（ａ）に例示したように、２つ以上の固定部材１３０を使用することによって、固定部材１３０に固定されるスタンションの安定性が増大する。図５〜８に例示した固定部材１３０は、第１実施例としての固定部材３０の効果を奏するほか、完成建物１２０に強固に支持されることができる。
【００２６】
固定部材の形状は、上述した形状に限らず、任意の形状とすることができる。例えば、固定部材の突出部分は、スタンションと係合する形状を有していてもよいし、スタンションがねじ式に挿入される挿入穴が形成された棒状の形状を有していてもよい。
【００２７】
以上、いくつかの実施例に基づいて本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲および明細書に記載された各形態要素の任意の組み合わせ、または、省略が可能である。
【符号の説明】
【００２８】
２０…完成建物
２１…コンクリート床
３０…固定部材
３１…基部
３２…平板部
３３，３４…アンカー部
３５，３６…棒状部材
３７，３８…ボルト穴
５０…スタンション
５１…支持部
５２…柱部
５３…側面
５４…頂面
５５…丸環
５６，５７…穴
５８，５９…クランプ
６１，６２…パイプ
６３，６４…ボルト
１２０…完成建物
１２１…ルーフデッキ
１２３…鉄骨
１２４…野地合板
１２５…デッキコンクリート床
１２６…パラペット
１２７…木下地
１２８…貫通ボルト
１３０…固定部材
１４１…鉄筋
１４２…結束線
【図１】
2015190217.tif 000003
【図２】
2015190217.tif 000004
【図３】
2015190217.tif 000005
【図４】
2015190217.tif 000006
【図５】
2015190217.tif 000007
【図６】
2015190217.tif 000008
【図７】
2015190217.tif 000009
【図８】
2015190217.tif 000010